(57)【要約】  【課題】歯間清掃性と歯面清掃性がいずれも優れたブラシ用毛材とその製造方法およびこれを用いたブラシの提供。  【解決手段】芯鞘構造複合合成樹脂モノフィラメントからなるブリッスルの少なくとも一端にテーパー部を形成したブラシ用毛材であって、前記テーパー部とこのテーパー部以外の本体部の繊維軸方向に垂直な断面形状が、それぞれ異なる異形断面であるブラシ用毛材。【選択図】なし【特許請求の範囲】
【請求項１】
芯鞘構造複合合成樹脂モノフィラメントからなるブリッスルの少なくとも一端にテーパー部を形成したブラシ用毛材であって、前記テーパー部とこのテーパー部以外の本体部の繊維軸方向に垂直な断面形状が、それぞれ異なる異形断面であることを特徴とするブラシ用毛材。
【請求項２】
前記ブリッスルの本体部の断面形状が三角形、テーパー部の断面形状が４〜８葉形であることを特徴とする請求項１に記載のブラシ用毛材。
【請求項３】
前記ブリッスルの本体部の断面形状が四角形、テーパー部の断面形状が５〜８葉形であることを特徴とする請求項１に記載のブラシ用毛材。
【請求項４】
芯部および鞘部が夫々異なる異形断面であり、前記芯部に薬液溶解速度の速い合成樹脂、前記鞘部に前記芯部の合成樹脂よりも薬液溶解速度が遅い合成樹脂を用いてなる芯鞘構造複合合成樹脂モノフィラメントをカットブリッスルとし、このカットブリッスル束の少なくとも一端に、薬液処理によってテーパー部を形成することを特徴とする請求項１〜３のいずれか１項に記載のブラシ用毛材の製造方法。
【請求項５】
請求項１〜３のいずれか１項に記載のブラシ用毛材を毛材の少なくとも一部に使用したことを特徴とするブラシ。
【発明の詳細な説明】
【技術分野】
【０００１】
本発明は、歯間清掃性と歯面清掃性がいずれも優れたブラシ用毛材とその製造方法およびこれを用いたブラシに関するものである。
【背景技術】
【０００２】
近年、合成樹脂製のブラシ用毛材、特に歯ブラシ用毛材においては、歯周ポケットや歯間への毛材の到達度の向上およびこれによる清掃性の向上を目的として、先端がテーパー化されたもの（例えば、特許文献１参照）が多用されている。また、さらに毛材側面での清掃性能を兼備させるために、この毛材の断面を異形断面とすることにより周方向に凹凸を設けた毛材（例えば、特許文献２参照）や、さらに捻りも加えることにより長手方向の凹凸をも併せて設けた毛材（例えば、特許文献３参照）も提案され、夫々相応の効果が得られている。
【０００３】
ここで、先端をテーパー化した従来の毛材においては、テーパー状の毛先には歯間清掃性が、また非テーパー部には歯面清掃性が求められるが、前記毛材の各部位の断面形状は相似形であるため、必ずしも夫々の機能に適した形状ではないという問題があった。
【特許文献１】特開昭６−１４１９２３号公報
【特許文献２】特開２００１−１６９８２９号公報
【特許文献３】特開２００３−１８９９４３号公報
【発明の開示】
【発明が解決しようとする課題】
【０００４】
本発明は、上記の従来技術における問題点の解決を課題として検討した結果達成されたものである。
【０００５】
したがって、本発明の目的は、歯間清掃性と歯面清掃性がいずれも優れたブラシ用毛材とその製造方法およびこれを用いブラシを提供することにある。
【課題を解決するための手段】
【０００６】
上記の目的を達成するため本発明によれば、芯鞘構造複合合成樹脂モノフィラメントからなるブリッスルの少なくとも一端にテーパー部を形成したブラシ用毛材であって、前記テーパー部とこのテーパー部以外の本体部の繊維軸方向に垂直な断面形状が、それぞれ異なる異形断面であることを特徴とするブラシ用毛材が提供される。
【０００７】
なお、本発明のブラシ用毛材においては、
前記ブリッスルの本体部の断面形状が三角形、テーパー部の断面形状が４〜８葉形であること、および
前記ブリッスルの本体部の断面形状が四角形、テーパー部の断面形状が５〜８葉形であること
が、いずれも好ましい条件である。 
【０００８】
また、上記の構成からなる本発明のブラシ用毛材の製造方法は、芯部および鞘部が夫々異なる異形断面であり、前記芯部に薬液溶解速度の速い合成樹脂、前記鞘部に前記芯部の合成樹脂よりも薬液溶解速度が遅い合成樹脂を用いてなる芯鞘構造複合合成樹脂モノフィラメントをカットブリッスルとし、このカットブリッスル束の少なくとも一端に、薬液処理によってテーパー部を形成することを特徴とする。
【０００９】
さらに、本発明のブラシは、上記のブラシ用毛材を毛材の少なくとも一部に使用したことを特徴とする。
【発明の効果】
【００１０】
本発明によれば、歯間清掃性と歯面清掃性がいずれも優れたブラシ用毛材およびブラシを得ることができる。
【発明を実施するための最良の形態】
【００１１】
以下、本発明のブラシ用毛材について、図面にしたがって具体的に説明する。
【００１２】
図１は、本発明のブラシ用毛材の一例を示す側面図、図２（ａ）は図１のＡ−Ａ断面図、図２（ｂ）は同じくＢ−Ｂ断面図、図３（ｃ）〜（ｅ）は本発明で使用し得る他の芯鞘構造複合モノフィラメントの例を示す断面図である。
【００１３】
図１に示したように、本発明のブラシ用毛材１は、芯鞘構造複合合成樹脂モノフィラメントのブリッスル１からなり、このブリッスル本体２（以下、本体部２と呼ぶ）の少なくとも一端にテーパー部３が形成されている。
【００１４】
そして、図２に示したように、テーパー部３と本体部２の繊維軸方向に垂直な断面形状がおのおの異なる異形断面（図面では八葉形と三角形）に構成されている。
【００１５】
かかる構成とするためには、上記ブリッスル１を構成する合成樹脂モノフィラメントを、芯部４と鞘部５とからなる芯鞘複合構造となし、芯部４と鞘部５の繊維軸方向に垂直な断面形状をそれぞれ異なる異形断面（図面では八葉形と三角形）とすることが重要である。
【００１６】
したがって、テーパー部３はほぼ芯部４から構成されているため、その断面形状は上記芯部と同様な異形断面であり、本体部２の断面形状は鞘部と同様な異形断面となっている。
【００１７】
例えば、これを歯ブラシに用いる場合に、テーパー部３は歯間挿入時の側面の圧縮反力による清掃効果を上げるために歯間面との接触点の多い八葉形とし、テーパー部３以外の本体部２は曲げ反力でのエッジ部による清掃効果を最大化するため三角形にするなどの組み合わせが可能である。
【００１８】
本発明のブラシ用毛材においては、芯部と鞘部の素材選定が重要であり、芯部には後述の化学的薬液処理に用いる薬液に対して溶解速度の速い合成樹脂、鞘部には前記芯部の合成樹脂よりも薬液溶解速度が遅い合成樹脂を用いる。
【００１９】
具体的な組み合わせとしては、化学的薬液処理に用いられる薬液が水酸化ナトリウム溶液などのアルカリ性薬液である場合は、芯部／鞘部の組合せとして、ポリエチレンテレフタレート（以下ＰＥＴと称す）／ポリブチレンテレフタレート（以下ＰＢＴと称す）、ポリエステルエラストマー／ＰＢＴ、ポリプロピレンテレフタレート（以下ＰＴＴと称す）／ＰＢＴ、ポリエチレンナフタレート／ＰＢＴ、ポリエステルエラストマー／ＰＥＴなど、また、化学的薬液処理に用いられる薬液が塩酸などの酸性薬液である場合は、ポリアミドエラストマー／ポリアミド６・１０、ポリアミドエラストマー／ポリアミド６などの組み合わせが挙げられるが、これらに限定されるものではなく、適宜選定することができる。
【００２０】
なお、上記の合成樹脂には、本発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることもできる。
【００２１】
本発明のブラシ用毛材は何ら特殊な方法を用いて製造する必要はない。上述の芯鞘構造複合モノフィラメントは、公知の複合溶融紡糸法で製造可能であり、選定された２種の原料を複合押出機から溶融吐出させ、冷却の後延伸、熱セットを加えることで得られる。また、テーパー部は、このモノフィラメントを集束して所定長さに切断することによりカットブリッスルの束とし、この少なくとも一端に公知の化学的薬液処理を加えることで形成させることができる。
【００２２】
この化学的薬液処理において、薬液に浸漬されたカットブリッスルの端部は、まず鞘部が溶解して異形断面の芯部４の一部が露出し、続いて溶解速度の速い鞘部５が除々に溶解するため異形断面を維持しながらテーパー状となる。
【００２３】
図１および図２は上記の方法で得られるブラシ用毛材の一例であり、この場合は芯部４からなるテーパー部３の断面形状が八葉形、鞘部５の当初の形状を維持した本体部２の断面形状が三角形となっている。
【００２４】
図３（ｃ）〜（ｅ）は、本発明で使用し得る他の芯鞘構造複合モノフィラメントの例を示すものであり、（ｃ）は芯部４と鞘部５の断面形状が八葉形と四角形、（ｄ）は同じく星型と三角形、（ｅ）は同じく八葉形と鈴形を示しているが、清掃性を向上し得る異形断面形状の組み合わせであれば任意であり、これらに制限されるものではない。
【００２５】
これらの組み合わせのなかでも、本体部２の断面形状が三角形／テーパー部３の断面形状が４〜８葉形、ないしは本体部２の断面形状が四角形／テーパー部３の断面形状が５〜８葉形の組み合わせとすることが好ましい。
【００２６】
かくして構成された本発明のブラシ用毛材は、テーパー部と本体の非テーパー部とがそれぞれ異なる異形断面であるため、歯ブラシにおいては歯間清掃性と歯面清掃性とをそれぞれ向上させることが可能である。
【実施例】
【００２７】
以下、本発明のブラシ用毛材について、実施例を挙げて詳細に説明するが、本発明のブラシ用毛材はその要旨を超えない限り以下の実施例に何ら限定されるものではない。
【００２８】
なお、下記の各ブラシ用毛材は次の方法により評価を行った。３４穴の歯ブラシハンドルに対し、毛丈が１１ｍｍになるように植毛して歯ブラシを作成し、次の方法により評価を行った。
【００２９】
［清掃性評価］
歯ブラシを使用して仮想汚れを塗布したステンレス製凹凸板表面を摺動運動させ、清掃性を仮想汚れの除去率Ｓ（％）で評価した。なお、歯ブラシの摺動面裏側からかける垂直荷重は１５０ｇ、摺動運動は、振幅１０ｍｍ、速度１８０ｒｐｍで５０００回行った。また、汚れ除去率Ｓは、凹凸板の凸部表面と凹部表面それぞれについて求め、摺動運動前の仮装汚れの面積をＥｍｍ２、摺動運動後の仮装汚れの面積をＦｍｍ２とし、式Ｓ＝１００×（Ｅ−Ｆ）／Ｅから求めた。
【００３０】
〔実施例１〕
芯部用原料としてＰＢＴ樹脂（東レ（株）製、トレコン１２００Ｓ）、鞘部用原料としてＰＥＴ樹脂（東レ（株）製、東レポリエステル樹脂  Ｔ３０１Ｔ）を使用し、複合溶融紡糸法により、鞘部の断面形状が断面積０．０３１平方ｍｍの正三角形（一片０．２７ｍｍ）、芯部の断面形状が八葉形の複合構造モノフィラメントを作成し、これを束ねて３０ｍｍの長さに切断した後、水酸化ナトリウム溶液による化学的薬液処理を加え、片端がテーパー状で、テーパー部の断面が八葉形、非テーパー部が円形のブラシ用毛材を得た。
【００３１】
〔実施例２〕
鞘部の断面形状を断面積０．０３１平方ｍｍの略正四角形（一片０．１７ｍｍ）とした以外は実施例１と同様とし、ブラシ用毛材を得た。
【００３２】
〔実施例３〕
芯部の断面形状を星型とした以外は実施例１と同様とし、ブラシ用毛材を得た。
【００３３】
〔比較例１〕
ＰＢＴ樹脂（東レ（株）製、トレコン１２００Ｓ）のみを用いて、断面積０．０３１平方ｍｍの八葉形断面のモノフィラメントを作成し、これに実施例１と同じ化学的溶解処理を加え、テーパー部、非テーパー部ともに八葉形断面のブラシ用毛材を得た。  
【００３４】
〔比較例２〕
モノフィラメントの断面を断面積０．０３１平方ｍｍ（一片０．２７ｍｍ）の正三角形断面とした以外は比較例１と同じにすることで、テーパー部、非テーパー部ともに三角形のブラシ用毛材を得た。
【００３５】
上記の実施例および比較例で得られたブラシ用毛材の評価結果を表１に示した。
【００３６】
【表１】
2009089920.tif 000002
【００３７】
表１の結果から明らかなように、テーパー部と非テーパー部の断面がともに八葉形である比較例１を、ともに三角形である比較例２と比べると、実使用時の歯間部に相当する凹部の汚れ除去性には優れるが、実使用時の歯間部に相当する凹部の汚れ除去性には劣る。
【００３８】
これに対し、テーパー部の断面を八葉形、非テーパー部の断面を三角形とした実施例１は、凸部と凹部のいずれの汚れ除去率も高いことがわかる。これは、非テーパー部を四角形とした実施例２、テーパー部を星型とした実施例３の場合でも同様である。
【産業上の利用可能性】
【００３９】
本発明のブラシ用毛材は、優れた清掃性と耐久性とを兼ね備えたものであり、種々のブラシ用途に適用できるが、特に歯ブラシ用途に適用した場合に有用な効果を発揮する。
【図面の簡単な説明】
【００４０】
【図１】本発明のブラシ用毛材の一例を示す側面図。
【図２】（ａ）は図１のＡ−Ａ断面図、（ｂ）は同じくＢ−Ｂ断面図。
【図３】（ｃ）〜（ｅ）は本発明で使用し得る他の芯鞘構造複合モノフィラメントの例を示す断面図。
【符号の説明】
【００４１】
１  ブリッスル
２  本体部
３  テーパー部
４  芯部
５  鞘部
【図１】
2009089920.tif 000003
【図２】
2009089920.tif 000004
【図３】
2009089920.tif 000005